(57)【要約】【課題】簡易な構成で、シール性を向上できる液体タンクを提供すること。【解決手段】液体タンク４１は、開口４５ａが形成された液体入口部４５を備え、液体を貯留するタンク本体４４と、シール部材４８と、を備える液体タンク４１であって、液体入口部４５には、該液体入口部４５の先端に設けられ開口４５ａの内側に向けて延び且つ端面４５６ａがシール部材４８に当接する返し部４５６が形成される。また、液体タンク４１の製造方法は、開口４５ａが形成された液体入口部４５を備える液体タンク４１を製造する液体タンク４１の製造方法であって、ブロー成形により、液体入口部４５の先端に設けられ開口４５ａの内側に向けて延びる返し部４５６を一体的に形成する。【選択図】図３
2018020791.tif 000002
【特許請求の範囲】
【請求項１】
開口が形成された液体入口部を備え、液体を貯留するタンク本体と、
シール部材と、を備える液体タンクであって、
前記液体入口部には、該液体入口部の先端に設けられ前記開口の内側に向けて延び且つ端面が前記シール部材に当接する返し部が形成される液体タンク。
【請求項２】
前記液体入口部は、外面にネジ溝を有する請求項１に記載の液体タンク。
【請求項３】
開口が形成された液体入口部を備える液体タンクを製造する液体タンクの製造方法であって、
ブロー成形により、前記液体入口部の先端に設けられ前記開口の内側に向けて延びる返し部を一体的に形成する液体タンクの製造方法。
【発明の詳細な説明】
【技術分野】
【０００１】
本発明は、液体タンクに関する。
【背景技術】
【０００２】
従来、開口が形成された液体入口部を備える容器本体と、容器本体の液体入口部を塞ぐキャップと、容器本体とキャップとの間に配置されるパッキンと、を備える容器（液体タンク）が知られている（例えば、特許文献１参照）。
特許文献１に記載の容器のパッキンは、容器本体及びキャップのシール面積を増やしてシール性を向上させるため、容器本体とキャップとの接触面積が多くなる形状に形成されている。
【先行技術文献】
【特許文献】
【０００３】
【特許文献１】特開２００４−０５１１８８号公報
【発明の概要】
【発明が解決しようとする課題】
【０００４】
特許文献１に記載の容器においては、パッキンの形状が、容器本体とキャップとの接触面積が大きくなる形状に形成されている。そのため、パッキンの形状が複雑となりやすく、容器の製造に要するコストが高くなりやすかった。よって、簡易な構成で、シール性を向上できる液体タンクが望まれる。
【０００５】
本発明は、簡易な構成で、シール性を向上できる液体タンクを提供することを目的とする。
【課題を解決するための手段】
【０００６】
本発明は、開口（例えば、後述の開口４５ａ）が形成された液体入口部（例えば、後述の液体入口部４５）を備え、液体（例えば、後述の水石鹸）を貯留するタンク本体（例えば、後述のタンク本体４４）と、シール部材（例えば、後述のシール部材４８）と、を備える液体タンク（例えば、後述の水石鹸タンク４１）であって、前記液体入口部には、該液体入口部の先端に設けられ前記開口の内側に向けて延び且つ端面（例えば、後述の上面４５６ａ）が前記シール部材に当接する返し部（例えば、後述の返し部４５６）が形成される液体タンクに関する。
【０００７】
また、前記液体入口部は、外面（例えば、後述の外面４５２ｂ）にネジ溝を有することが好ましい。
【０００８】
また、本発明は、開口が形成された液体入口部を備える液体タンクを製造する液体タンクの製造方法であって、ブロー成形により、前記液体入口部の先端に設けられ前記開口の内側に向けて延びる返し部を一体的に形成する液体タンクの製造方法に関する。
【発明の効果】
【０００９】
本発明によれば、簡易な構成で、シール性を向上できる液体タンクを提供することができる。
【図面の簡単な説明】
【００１０】
【図１】本発明の一実施形態に係る手洗装置の全体斜視図である。
【図２】本発明の一実施形態に係る水石鹸タンクの液体入口部にキャップを取り付けた状態を示す斜視図である。
【図３】本発明の一実施形態に係る水石鹸タンクの液体入口部からキャップを取り外し、液体入口部とキャップとの間に配置される部材を並べた状態を示す斜視図である
【図４】図２のＡ−Ａ線断面図であって、シール部材を用いて液体入口部をシールする構造を示す図である。
【図５】図４のＢ−Ｂ線断面図であって、シール部材を用いて液体入口部をシールする構造を示す図である。
【発明を実施するための形態】
【００１１】
以下、本発明の一実施形態について、図面を参照しながら説明する。なお、本発明は以下の実施形態に限定されるものではない。図１は、本発明の一実施形態に係る手洗装置１の全体斜視図である。図２は、本発明の一実施形態に係る水石鹸タンク４１の液体入口部４５にキャップ４６を取り付けた状態を示す斜視図である。図３は、本発明の一実施形態に係る水石鹸タンク４１の液体入口部４５からキャップ４６を取り外し、液体入口部４５とキャップ４６との間に配置される部材を並べた状態を示す斜視図である。図４は、図２のＡ−Ａ線断面図であって、シール部材４８を用いて液体入口部４５をシールする構造を示す図である。図５は、図４のＢ−Ｂ線断面図であって、シール部材４８を用いて液体入口部４５をシールする構造を示す図である。
【００１２】
本実施形態に係る水石鹸吐出装置３は、例えば鉄道の駅等の公共施設のトイレや洗面所に設置される手洗装置１に自動水栓等の吐水装置と共に設置され、人の手等の物体をセンサで検知し、その検知信号に基づいて自動的に水石鹸の吐出を行うものである。
【００１３】
図１に示すように、本実施形態に係る手洗装置１は、吐水装置２０と、水石鹸吐出装置３と、ボウル１０１と、台１１０と、を備える。水石鹸吐出装置３（液体吐出装置）は、水石鹸吐出器具３０（液体吐出部）と、水石鹸供給部４０と、エア供給部５０と、制御ユニット６０と、水石鹸吐出装置３の一部を収容する金属筐体７０と、を有する。
【００１４】
台１１０は、手洗装置１における下部を構成する。台１１０の内部には、水石鹸吐出装置３の一部が金属筐体７０に囲まれた状態で収容され、かつ、図示しない排水管やその他の配管等の設備機器が収容される。
また、台１１０の上方において、手洗部１０が配置されている。手洗部１０は、ボウル１０１と、吐水装置２０と、水石鹸吐出器具３０と、を含んで構成される。
【００１５】
吐水装置２０は、吐水装置本体２１の先端側に、物体を検知するセンサ２２と、吐水口２３と、を有する。吐水装置２０は、人の手等の物体がセンサ２２の検知範囲内に入ることでセンサ２２が物体を検知すると、自動的に吐水口２３から水（あるいは湯）を吐出する。
【００１６】
水石鹸吐出器具３０は、図１に示すように、器具本体３１（本体部）の先端側に、物体を検知するセンサ３２と、光を照射する報知ＬＥＤ３３と、吐出口部３４と、を有する。水石鹸吐出器具３０は、後述する水石鹸吐出装置３の一部を構成する。
【００１７】
吐出口部３４は、水石鹸（液体）と空気が混合されることで形成される泡を先端部から吐出する。
【００１８】
センサ３２は、後述する制御ユニット６０と電気的に接続されており、物体を検知すると検知信号を制御ユニット６０に送信する。水石鹸吐出器具３０は、人の手等の物体がセンサ３２の検知範囲内に入ることでセンサ３２が物体を検知すると、自動的に吐出口部３４から水石鹸を吐出する。
【００１９】
報知ＬＥＤ３３は、水石鹸を貯留する水石鹸タンク４１への水石鹸の補充のタイミングを報知する。報知ＬＥＤ３３は、後述する制御ユニット６０と電気的に接続されており、液位センサ（図示せず）に検知される水石鹸の液位信号が入力された制御ユニット６０から出力された信号に基づいて、水石鹸タンク４１への水石鹸の補充のタイミングを、例えば、点滅、点灯及び消灯により報知する。報知ＬＥＤ３３は、例えば、ＬＥＤ（Ｌｉｇｈｔ  Ｅｍｉｔｔｉｎｇ  Ｄｉｏｄｅ）で構成される。
【００２０】
ボウル１０１は、吐水装置２０から吐水され手洗いに使用された水や、水石鹸吐出器具３０から吐出され手洗いに使用された水石鹸を受けて排出する。ボウル１０１の略中央の窪みには排水口１０２が形成されている。排水口１０２は、図示しない排水管と連通している。ボウル１０１が受けた水や水石鹸は、排水口１０２に導かれ、排水口１０２から排水管を通じて下水道等の外部に排出される。
【００２１】
本実施形態に係る水石鹸吐出装置３の構成について説明する。
水石鹸吐出装置３は、図１に示すように、水石鹸吐出器具３０と、水石鹸供給部４０と、エア供給部５０と、制御ユニット６０と、水石鹸供給部４０の一部及び制御ユニット６０を収容する金属筐体７０と、を有する。
【００２２】
水石鹸供給部４０は、水石鹸タンク４１（液体タンク）と、水石鹸用ポンプ４２（ポンプ）と、水石鹸供給管４３と、を備える。水石鹸タンク４１は、水石鹸吐出器具３０に供給される水石鹸を貯留する。水石鹸タンク４１は、補給水が補給される液体入口部４５を有する（図１及び図２参照）。水石鹸タンク４１の液体入口部４５に関する構成については後述する。
【００２３】
金属筐体７０は、水石鹸供給部４０の水石鹸タンク４１、水石鹸用ポンプ４２及び制御ユニット６０を収容した状態で、例えば、図１に示すように、台１１０の内部の下部に配置される。金属筐体７０は、金属材料により形成される。
【００２４】
水石鹸供給管４３は、水石鹸タンク４１と水石鹸吐出器具３０とを接続する配管であり、水石鹸が流通する。水石鹸供給管４３の途中には、水石鹸用ポンプ４２が設けられている。
水石鹸用ポンプ４２は、水石鹸タンク４１に貯留された水石鹸を水石鹸吐出器具３０に向けて送出する。
【００２５】
エア供給部５０は、エアポンプ５１と、空気供給管５２と、を備える。空気供給管５２は、水石鹸吐出器具３０に水石鹸の泡を形成するための空気を供給する配管である。エアポンプ５１は、モータ等の駆動部を有し、駆動部を駆動させることで空気を圧縮し、空気供給管５２を通じて空気を下流側に圧送する。エアポンプ５１は制御ユニット６０と電気的に接続されており、制御ユニット６０から送信される制御信号に基づいて、空気を水石鹸吐出器具３０に供給する。
【００２６】
制御ユニット６０は、ＣＰＵ及びメモリを含んで構成され、水石鹸吐出器具３０や水石鹸用ポンプ４２やエアポンプ５１の動作を制御することで、水石鹸吐出装置３を制御する。制御ユニット６０は、制御用ＩＣや、制御用ＩＣなどが実装される回路基板を備える。
制御ユニット６０は、センサ３２からの検知信号に基づき水石鹸用ポンプ４２及びエアポンプ５１に制御信号を送信する。
制御ユニット６０は、液位センサ（図示せず）が水石鹸タンク４１に貯留される水石鹸の液位の低下を検知した場合に、検知結果を点滅又は点灯して報知するように、報知ＬＥＤ３３を制御する。
【００２７】
次に、水石鹸タンク４１の液体入口部４５をシール部材４８を用いてシールする構造について説明する。なお、水石鹸タンク４１の説明において、水石鹸タンク４１を正面から視た場合（図１における水石鹸タンク４１に対面した場合）における左右の向きを左右方向Ｘといい、水石鹸タンク４１を正面から視た場合（図１における水石鹸タンク４１に対面した場合）における前後の向きを前後方向Ｙという。上下方向Ｚは、左右方向Ｘ及び前後方向Ｙと直交する。
【００２８】
水石鹸タンク４１は、図１に示すように、側面視で、略逆Ｌ字形状に形成されている。
水石鹸タンク４１は、図２及び図３に示すように、開口４５ａが形成された液体入口部４５を備えるタンク本体４４と、シール部材４８が上部に装着されたストレーナ４７と、環状のガスケット４９と、液体入口部４５を塞ぐキャップ４６と、を有する。
【００２９】
タンク本体４４は、水石鹸を貯留する水石鹸貯留部４４１と、後述する返し部４５６を有する液体入口部４５と、を備える。本実施形態においては、タンク本体４４は、例えば、樹脂製であり、ブロー成形により一体的に形成される。これにより、ブロー成形により、後述する返し部４５６を、タンク本体４４と一体的に成形することができる。ブロー成形においては、一般的に、金型に挟み込んだ樹脂材料に空気を吹き込んで中空成形品を成形するため、比較的簡単に成形品を製造できる。そのため、一般的に、ブロー成形により比較的簡単に製造されるブロー成形品は、射出成形品よりも、低いコストで製造できる。
【００３０】
水石鹸貯留部４４１は、図２に示すように、水平方向に延びる上面４４１ａを有する箱状に形成される。水石鹸貯留部４４１は、水石鹸を貯留する。
液体入口部４５は、水石鹸タンク４１の内部に水石鹸を補充するための水石鹸の入口である。液体入口部４５は、図３に示すように、水石鹸貯留部４４１の上面４４１ａから上方に向けて突出し円筒状に延びる。液体入口部４５は、上方に向けて開口する開口４５ａを有する。液体入口部４５の開口４５ａは、キャップ４６により開閉自在に塞がれる。
【００３１】
液体入口部４５とキャップ４６との間には、ストレーナ４７が装着されたシール部材４８と、環状のガスケット４９と、が配置される。液体入口部４５の上端部には、ストレーナ４７が装着されたシール部材４８が取り付けられる。環状のガスケット４９は、シール部材４８とキャップ４６との間に配置される。
【００３２】
液体入口部４５は、図３及び図４に示すように、基部筒状部４５０と、開口４５ａを有する筒状の入口筒状部４５３と、入口筒状部４５３の先端に設けられる返し部４５６と、を有する。
【００３３】
基部筒状部４５０は、上下方向Ｚに延びる円筒状に形成される。基部筒状部４５０の下端部は、水石鹸タンク４１の水石鹸貯留部４４１の上面４４１ａに接続される。
【００３４】
入口筒状部４５３は、図３に示すように、上下方向Ｚに延びる筒状に形成され、基部筒状部４５０の上端部に接続されている。入口筒状部４５３は、対向して配置される一対の直線状壁部４５１，４５１と、対向して配置される一対の円弧状壁部４５２，４５２と、を有する。一対の直線状壁部４５１，４５１及び一対の円弧状壁部４５２，４５２は、直線状壁部４５１、円弧状壁部４５２、直線状壁部４５１、円弧状壁部４５２の順に周方向に接続され、全体として筒状に形成される。
【００３５】
一対の直線状壁部４５１，４５１は、左右方向Ｘに離間して、互いが対向して配置される。一対の直線状壁部４５１，４５１は、それぞれ、前後方向Ｙに直線状に延びる壁部である。一対の直線状壁部４５１，４５１の内面４５１ａ（図５参照）は、平面状に形成される。一対の直線状壁部４５１，４５１の外面は、平面状に形成される。
【００３６】
一対の円弧状壁部４５２，４５２は、前後方向Ｙに離間して、互いが対向して配置される。一対の円弧状壁部４５２，４５２は、それぞれ、一対の直線状壁部４５１，４５１における近い側の端部同士を繋ぐ円弧状に形成される壁部である。一対の円弧状壁部４５２，４５２の内面４５２ａ（図５参照）は、外側が凸となる円弧状の曲面状に形成される。一対の円弧状壁部４５２，４５２の外面４５２ｂは、外側が凸となる円弧状の曲面状に形成される。一対の円弧状壁部４５２，４５２の外面４５２ｂには、ネジ溝が形成される。
【００３７】
一対の直線状壁部４５１，４５１の対向する部分における内面同士の間の距離は、一対の円弧状壁部４５２，４５２の対向する部分における内面同士間の距離よりも短い。そのため、入口筒状部４５３は、真円を形成しておらず、左右方向Ｘの径の長さと前後方向Ｙの径の長さとが異なっている。
【００３８】
返し部４５６は、入口筒状部４５３の先端（上端）に設けられる。返し部４５６は、入口筒状部４５３の開口４５ａの内側に向けて所定長さ延びる。返し部４５６は、内側端部が直線状の一対の直線状返し部４５４，４５４と、内側端部が円弧状の一対の円弧状返し部４５５，４５５と、を有する。
【００３９】
一対の直線状返し部４５４，４５４は、それぞれ、直線状壁部４５１が延びる方向に沿って延び、且つ、直線状壁部４５１の先端（上端）から、開口４５ａの内側に向けて延びる。
一対の円弧状返し部４５５，４５５は、それぞれ、円弧状壁部４５２が延びる方向に沿って延び、且つ、円弧状壁部４５２の先端（上端）から、開口４５ａの内側に向けて延びる。
【００４０】
対向する一対の直線状返し部４５４，４５４における内側端面（内側端部）４５４ａ同士の間の左右方向Ｘの距離は、対向する一対の円弧状返し部４５５，４５５における内側端面（内側端部）４５５ａ同士の間の距離よりも短い。そのため、返し部４５６の内側端面は、平面視において、真円を形成しておらず、左右方向Ｘの径の長さと前後方向Ｙの径の長さとが異なっている。
【００４１】
ストレーナ４７は、シール部材４８が上部に装着された状態で、シール部材４８を介して、液体入口部４５の先端（上端）に取り付けられる。ストレーナ４７は、ストレーナ本体４７１と、ストレーナフランジ部４７２と、を有する。
【００４２】
ストレーナ本体４７１は、上部が開口し且つ下部に底面を有する筒状に形成される。ストレーナ本体４７１は、枠組みされて全体として筒状に形成された枠部４７１ａと、枠部４７１ａの枠同士の間を塞ぐように配置されたメッシュ部４７１ｂと、を有する。
ストレーナフランジ部４７２は、ストレーナ本体４７１の開口側の端部から外側に向けて延びる円環状に形成される。
【００４３】
シール部材４８は、図３及び図４に示すように、ストレーナ４７の上端部に装着されると共に、ストレーナ４７が装着された状態で、液体入口部４５に取り付けられる。本実施形態においては、シール部材４８は、例えば、ゴム製である。
シール部材４８は、筒状に形成される。シール部材４８は、筒状胴体部４８１と、当接フランジ部４８２と、保持部４８３と、を有する。
【００４４】
筒状胴体部４８１は、シール部材４８における下部を構成する。筒状胴体部４８１は、シール部材４８が液体入口部４５に取り付けられた場合に、液体入口部４５の内部に配置される部分である。筒状胴体部４８１は、円筒状に形成され、上下方向Ｚに延びる。
【００４５】
本実施形態においては、筒状胴体部４８１の外形の径の長さは、液体入口部４５の返し部４５６と比較すると、対向する一対の円弧状返し部４５５，４５５の内側端面４５５ａ同士の間の距離よりも短く、対向する一対の直線状返し部４５４，４５４における内側端面（内側端部）４５４ａ同士の間の左右方向Ｘの距離よりも長い。
【００４６】
ここで、シール部材４８を液体入口部４５に取り付ける際には、シール部材４８の筒状胴体部４８１は、返し部４５６側から液体入口部４５に挿入される。シール部材４８の筒状胴体部４８１は、例えばゴム製である。そのため、シール部材４８が液体入口部４５に取り付けられた場合に、シール部材４８の筒状胴体部４８１は、対向する一対の直線状返し部４５４，４５４における内側端面（内側端部）４５４ａに当接した状態で挟まれて、左右方向Ｘに弾性変形して、対向する一対の直線状返し部４５４，４５４における内側端面（内側端部）４５４ａを押圧する。
【００４７】
そのため、筒状胴体部４８１の外周面（外側側面）４８１ａは、図５に示すように、シール部材４８が液体入口部４５に取り付けられた場合に、一対の円弧状返し部４５５，４５５の内側端面４５５ａに当接せずに、一対の直線状返し部４５４，４５４の内側端面４５４ａに当接する。これにより、シール部材４８が液体入口部４５に取り付けられた場合に、一対の直線状返し部４５４，４５４の内側端面４５４ａにおいて、液体入口部４５に対するシール部材４８の位置決めをすることできる。
【００４８】
当接フランジ部４８２は、図４に示すように、筒状胴体部４８１の上端部において筒状胴体部４８１の径方向の外側に延出する。当接フランジ部４８２は、円環状に形成される。当接フランジ部４８２の内周面と筒状胴体部４８１の内周面とは、上下方向に連続して形成されており、段差のない同一の内周面を形成する。当接フランジ部４８２の下面は、シール部材４８が液体入口部４５に取り付けられた場合に、液体入口部４５の返し部４５６の周方向の全域において、液体入口部４５の返し部４５６の上面４５６ａに当接する。
【００４９】
保持部４８３は、シール部材４８における上部を構成する。保持部４８３は、当接フランジ部４８２の上部側に当接フランジ部４８２に連続して配置される。保持部４８３は、円環状に形成され、シール部材４８の周方向の全域に形成される。保持部４８３の外形は当接フランジ部４８２の外形と上下に連続しており、筒状胴体部４８１の外形の径よりも大きい。
【００５０】
保持部４８３は、図４に示すように、内周面において内側に向けて開放され且つ当接フランジ部４８２の内周面及び筒状胴体部４８１の内周面の位置から外方に窪んだＣ字形状の溝部４８３ａを有する。溝部４８３ａには、ストレーナ４７のストレーナフランジ部４７２が配置され、ストレーナ４７の上端部のストレーナフランジ部４７２を保持する。溝部４８３ａの上下方向Ｚの長さ及び窪む深さは、ストレーナフランジ部４７２が溝部４８３ａに嵌り込むように、ストレーナフランジ部４７２の形状に対応した長さ及び深さで形成される。
【００５１】
ガスケット４９は、シール部材４８の上面とキャップ４６の閉止蓋部４６２（後述）の下面との間に配置される。ガスケット４９は、径方向に幅を有した円環状に形成される。ガスケット４９は、キャップ４６の閉止蓋部４６２の外周縁に沿って配置される。
【００５２】
キャップ４６は、液体入口部４５の上部にストレーナ４７を装着したシール部材４８を取り付けた状態で、かつ、ガスケット４９をシール部材４８の上面に配置した状態で、液体入口部４５の開口４５ａを塞ぐように、液体入口部４５に取り付けられる。
【００５３】
キャップ４６は、図３及び図４に示すように、キャップ枠体４６１と、閉止蓋部４６２と、を備える。
【００５４】
キャップ枠体４６１は、筒状部４６１ａと、上面環状板４６１ｂと、有する。
筒状部４６１ａは、平面視における外形が略八角形の筒状に形成され、内周面にネジ溝を有する。筒状部４６１ａの内周面のネジ溝は、液体入口部４５の一対の円弧状壁部４５２，４５２の外面４５２ｂに形成されるネジ溝に螺合される。
上面環状板４６１ｂは、筒状部４６１ａの上端部に配置され、水平方向に延びる円環状の平面板により構成される。上面環状板４６１ｂの径方向の内側には開口が形成される。
【００５５】
閉止蓋部４６２は、円形状の板状に形成される。閉止蓋部４６２は、上面環状板４６１ｂの開口を上面環状板４６１ｂの下面側から塞ぐように配置される。閉止蓋部４６２は、キャップ枠体４６１の上面環状板４６１ｂの下方に配置され、閉止蓋部４６２の上面の外周縁は、上面環状板４６１ｂの下面の開口の周縁に当接する。
【００５６】
次に、シール部材４８を用いて液体入口部４５にストレーナ４７を取り付ける手順と、ストレーナ４７を取り付けた液体入口部４５の開口４５ａをキャップ４６により塞ぐ手順と、について説明する。
【００５７】
まず、シール部材４８をストレーナ４７に装着する。具体的には、図３に示すように、ストレーナ４７のストレーナフランジ部４７２を、シール部材４８の筒状胴体部４８１の下方側から、筒状胴体部４８１の内部に挿入して、ストレーナ４７のストレーナフランジ部４７２を、溝部４８３ａに配置する。これにより、ストレーナ４７には、シール部材４８が装着される。シール部材４８は、例えばゴム製であるため、シール部材４８をストレーナ４７に装着する際に変形して、シール部材４８をストレーナ４７に装着した後に元の形状に戻る。
【００５８】
続けて、液体入口部４５の上部に、ストレーナ４７を装着したシール部材４８を取り付ける。具体的には、液体入口部４５の開口４５ａに、シール部材４８に装着されたストレーナ４７をストレーナ４７の下端部側から挿入することで、ストレーナ４７を装着したシール部材４８を液体入口部４５の先端（上端）に取り付ける。これにより、ストレーナ４７は、液体入口部４５に取り付けられる。
【００５９】
ここで、シール部材４８の筒状胴体部４８１は、例えばゴム製であるため、対向する一対の直線状返し部４５４，４５４における内側端面４５４ａに当接した状態で挟まれて、左右方向Ｘに弾性変形して、一対の直線状返し部４５４，４５４における内側端面（内側端部）４５４ａを押圧する。これにより、液体入口部４５に対するシール部材４８の位置決めをすることができる。
また、液体入口部４５の返し部４５６の上面４５６ａは、シール部材４８の当接フランジ部４８２の下面に当接する。これにより、液体入口部４５とシール部材４８との間の密封性を向上させることができる。
【００６０】
次に、ストレーナ４７を装着したシール部材４８を液体入口部４５に取り付けた状態で、ガスケット４９及びキャップ４６を取り付ける。具体的には、ガスケット４９をシール部材４８の上面に配置し、その後、閉止蓋部４６２をガスケット４９の上面に配置する。この状態で、キャップ枠体４６１を閉止蓋部４６２の上方から被せて、キャップ枠体４６１を回転することで、キャップ枠体４６１の内周面のネジ溝と液体入口部４５の一対の円弧状壁部４５２，４５２の外面４５２ｂ，４５２ｂに形成されるネジ溝とを螺合させる。
このようにして、液体入口部４５にストレーナ４７を装着した状態で、シール部材４８と液体入口部４５との間の密封性を向上させた状態で、キャップ４６により簡単に液体入口部４５の開口４５ａを塞ぐことができる。
【００６１】
以上説明した本実施形態に係る水石鹸吐出装置３によれば、以下のような効果を奏する。
本実施形態に係る水石鹸吐出装置３においては、タンク本体４４の液体入口部４５には、液体入口部４５の先端に設けられ開口４５ａの内側に向けて延び且つ上面４５６ａがシール部材４８に当接する返し部４５６が形成される。
そのため、返し部４５６により、タンク本体４４側において、シール面積を簡単に向上させることができる。これにより、液体入口部４５を、単純な構成のシール部材（例えば、ゴムパッキンなどの弾性シール部材）を用いてシールする場合においても、シール面積を増加させて、密封性を向上させることできる。
【００６２】
本実施形態に係る水石鹸吐出装置３においては、返し部４５６の内側の内側端面４５４ａは、シール部材４８の外周面４８１ａに当接する。そのため、シール部材４８を液体入口部４５に取り付ける際に、液体入口部４５に対するシール部材４８の位置決めをすることができる。
【００６３】
本実施形態に係る水石鹸吐出装置３においては、液体入口部４５は、外面４５２ｂにネジ溝を有する。これにより、液体入口部４５のネジ溝に螺合するネジ溝をキャップなどの蓋材に設けることで、より簡単に液体入口部４５の開口４５ａを塞ぐことができる。本実施形態では、液体入口部４５の開口４５ａの内側に向けて延びる返し部４５６を設けているため、液体入口部４５の外面４５２ｂにネジ溝を設けることができる。
【００６４】
本実施形態に係る水石鹸吐出装置３においては、水石鹸タンク４１を製造する際に、ブロー成形により、液体入口部４５の先端に設けられ開口４５ａの内側に向けて延びる返し部４５６を一体的に形成する。これにより、返し部４５６が形成された液体入口部４５をブロー成形により一体的に成形できるため、射出成形よりも簡単に製造でき、かつ、射出成形よりも低いコストで製造できる。
【００６５】
本発明は上記実施形態に限定されるものではなく、本発明の目的を達成できる範囲での変形、改良等は本発明に含まれる。
例えば、前記実施形態においては、返し部４５６の一部の内側端面４５４ａが、シール部材４８の外周面４８１ａに当接するように構成したが、これに限定されない。返し部４５６の周方向の全域の内側端面がシール部材４８の外周面４８１ａに当接するように構成してもよい。この場合には、返し部４５６の上面４５６ａをシール面としたうえで、返し部４５６の内側端面も更にシール面とすることができる。これにより、より密封性を向上させることができる。
【００６６】
前記実施形態においては、液体入口部４５を上下方向Ｚに延びる筒状に形成したが、これ限定されない。例えば、液体入口部４５を水平方向に延びる筒状に形成してもよい。
【００６７】
前記実施形態においては、シール部材４８に当接する返し部４５６の面を、返し部４５６の上面４５６ａとしたが、これに限定されない。例えば、液体入口部を水平方向に延びる筒状に形成した場合に、シール部材に当接する返し部４５６の面を、返し部４５６の側面としてもよい。
【００６８】
前記実施形態においては、水石鹸タンクの液体入口部４５に返し部４５６を設ける構成としたが、これに限定されない。例えば、トイレに使用される洗浄装置などの洗浄タンクにおける液体入口部に返し部を設けてもよいし、液体は水石鹸ではなく水などの別の液体であってもよい。
【符号の説明】
【００６９】
４１  水石鹸タンク（液体タンク）
４４  タンク本体
４５  液体入口部
４５ａ  開口
４８  シール部材
４５２ｂ  外面
４５４ａ  内側端面（内側端部）
４５６  返し部
４５６ａ  上面（端面）
４８１ａ  外周面（外側側面）
【図１】
2018020791.tif 000003
【図２】
2018020791.tif 000004
【図３】
2018020791.tif 000005
【図４】
2018020791.tif 000006
【図５】
2018020791.tif 000007